(57)【要約】【課題】ディスプレイ内で画像変換のための特別なバッファメモリや補間回路や補間処理が必要なく、動きのある画像を滑らかに表示することができる。【解決手段】液晶ディスプレイ２のＣＰＵ７がこの推奨のハイリフレッシュタイミング画像データ１３を受けたことを判別した場合、判別スイッチ６及び出力スイッチ９は、それぞれ可動接点ａを、ＣＰＵ７の制御により、固定接点ｂに切り替えて接続させる。これにより、出力スイッチ９は、画像変換部８により周波数や解像度をスケーリングせずに、そのままハイリフレッシュタイミング画像データ１４を通過させ、ＬＣＤドライバー１０に供給する。ＬＣＤドライバー１０は、ハイリフレッシュタイミング画像駆動信号１５をＬＣＤパネル１１に供給することにより、ＬＣＤパネル１１にそのままのハイリフレッシュタイミングで出画される。【選択図】図２
2007272200.tif 000002
【特許請求の範囲】
【請求項１】
画像供給源から供給される画像を、画像変換手段を介することで必要に応じて表示手段に対応する画像に変換した後に、上記表示手段で表示する画像表示装置において、
少なくとも上記画像供給源から供給される画像を所定タイミングで表示するタイミングデータを記憶する記憶手段と、
上記画像供給源から供給される画像が上記タイミングデータに基づいているか否かを判別する判別手段と、
上記判別手段により上記画像供給源から供給される画像が上記タイミングデータに基づいていると判別されたとき、上記画像変換手段による上記表示手段に対応する画像に変換処理を施すことなく、出力経路を切り替えて上記画像供給源から供給される画像をそのまま上記表示手段に供給する切替手段と、
を備えたことを特徴とする画像表示装置。
【請求項２】
請求項１に記載の画像表示装置において、
上記画像供給源から供給される上記タイミングデータが、上記表示手段に対応するタイミングデータとは異なると判別されたとき、上記画像変換手段を通すよう出力経路を切り替え、上記表示手段に適したタイミングデータに変換されることを特徴とする画像表示装置。
【請求項３】
請求項１に記載の画像表示装置において、
上記画像表示装置が上記画像供給源とケーブルにより電気的に接続されることにより、上記タイミングデータは上記画像供給源に供給されることを特徴とする画像表示装置。
【請求項４】
請求項１に記載の画像表示装置において、
上記画像表示装置と上記画像供給源とは一体で構成され、上記タイミングデータは上記表示手段に表示されるメニューにより選択されることを特徴とする画像表示装置。
【請求項５】
画像供給源から供給される画像を、画像変換処理を介して表示部に対応する画像に変換した後に、表示する画像表示方法において、
画像供給源が表示部を認識するステップと、
上記画像供給源が表示部のメモリに記憶されている、上記画像供給源から供給される画像を要求する所定タイミングで表示するタイミングデータを読み出すステップと、
上記画像供給源が要求された所定タイミングの画像を上記表示部に出力するステップと、
上記画像供給源から供給される画像が上記タイミングデータに基づいているか否かを判別するステップと、
上記画像供給源から供給される画像が上記タイミングデータに基づいていると判別されたとき、上記画像変換処理による上記表示部に対応する画像に変換処理を施すことなく、出力経路を切り替えて上記画像供給源から供給される画像をそのまま上記表示部に供給するステップと、
を含むことを特徴とする画像表示方法。
【請求項６】
請求項５に記載の画像表示方法において、
上記画像供給源から供給される上記タイミングデータが、上記表示部に対応するタイミングデータとは異なると判別されたとき、上記画像変換処理を施すよう出力経路を切り換えるステップをさらに含み、
上記画像変換処理により上記表示部に適したタイミングデータに変換することを特徴とする画像表示方法。
【発明の詳細な説明】
【技術分野】
【０００１】
本発明は、例えば、画像供給源から供給される画像データに基づく画像を表示する画像表示装置及び画像表示方法に関する。
【背景技術】
【０００２】
映像表示装置用のプラグアンドプレイともいうべき規格として、ＤＤＣ（Display Data Channel）という規格が存在している。ＤＤＣは、ホスト（映像信号を出力する機器）と映像表示装置との間で映像表示装置の属性（最適な解像度等）の情報をやりとりして、ホスト側が映像表示装置の属性に合わせた設定を自動的に行なえるようにするものである。
【０００３】
ＤＤＣでは、映像表示装置の属性の情報は、ＥＤＩＤ（Extended Display Identification Data）と呼ばれるフォーマット化されたデータの形でやりとりされる。そして、映像表示装置の電源が入っていない状態でも、ホスト側から映像表示装置に電源を供給して、映像表示装置からホストにこのＥＤＩＤデータを送信することが可能とされている。このため、映像表示装置内では、電源が入っていない状態でもＥＤＩＤデータが消えることがないように、ＥＥＰＲＯＭ等の不揮発性メモリにＥＤＩＤデータが格納される。
【０００４】
以前は、ＤＤＣに対応した映像出力機器はコンピュータのみであった。コンピュータが出力するＲＧＢ信号の解像度には、ＶＧＡ（６４０ｘ４８０），ＳＶＧＡ（８００ｘ６００），ＸＧＡ（１２８０ｘ７６８），ＳＸＧＡ（１２８０ｘ１０２４），ＱＸＧＡ（２０４８ｘ１５３６）といった種類が存在している。そこで、ＤＤＣに対応した従来の映像表示装置では、解像度に関しては例えば‘ＳＶＧＡが最適である’という推奨する内容のＲＧＢ信号用のＥＤＩＤデータが不揮発性メモリに格納されていた。
【０００５】
さらに、パーソナルコンピュータから供給される画像を表示部で表示するものであって、フォーマット変換処理により入力する画像データの伝送方式や画像属性（解像度、フレームレート等）を検出し、その検出結果に従って画像データに処理を施すと共に、検出した伝送方式と画像属性が適正でない場合にパーソナルコンピュータにＥＤＩＤデータを再送信するディスプレイシステムが提案されていた（例えば、特許文献１の段落［００４１］、図１参照。）。
【特許文献１】特開２００１−２６５３１３号公報
【発明の開示】
【発明が解決しようとする課題】
【０００６】
上述した特許文献１に記載のフレーム変換処理を用いて、パーソナルコンピュータから入力された画像データをディスプレイ内で通常のフレームレートである６０［Ｈｚ］よりも高いハイリフレッシュレートの画像データに変換をし、表示部のＬＣＤパネルに出力することにより、動画ボケを改善することが考えられる。
【０００７】
しかし、ディスプレイ内でフレーム変換処理によりパーソナルコンピュータから入力された画像データをハイリフレッシュレートの画像信号に変換する処理を実現させるためには、ディスプレイ内にバッファメモリや、入力された画像データのデータを使って補間フレームを生成する補間回路が必要になり、コストアップが必要となる。
【０００８】
また、ディスプレイ内のフレーム変換処理において、入力された画像データの前後のフレームの画像データを保持して、それら画像データのフレーム間に補間フレームの画像データを挿入して表示するデータを計算処理しなければならない。このため、ディスプレイ内で画像データの入力から出画までに計算処理のために遅れが生じることになる。
【０００９】
例えば、インタラクティブな動作を伴うゲームなどのアプリケーションプログラムによりパーソナルコンピュータから出力された画像データでは、パーソナルコンピュータから出力された画像に対するユーザーによる入力操作とディスプレイ上に表示された画像の動きとの間に生じるずれが問題となり、快適に画像をゲームに使用することができないという不都合があった。
【００１０】
そこで、本発明は、ディスプレイ内で画像変換のための特別なバッファメモリや補間回路や補間処理が必要なく、動きのある画像を滑らかに表示することができると共に、パーソナルコンピュータから出力された画像とディスプレイ上に表示された画像の動きとの間にずれが生じることのない画像表示装置及び画像表示方法を提供することを目的とするものである。
【課題を解決するための手段】
【００１１】
上記課題を解決し、本発明の目的を達成するため、本発明の画像表示装置は、少なくとも画像供給源から供給される画像を所定タイミングで表示するタイミングデータを記憶する記憶手段と、画像供給源から供給される画像がタイミングデータに基づいているか否かを判別する判別手段と、判別手段により画像供給源から供給される画像がタイミングデータに基づいていると判別されたとき、画像変換手段による表示手段に対応する画像に変換処理を施すことなく、出力経路を切り替えて画像供給源から供給される画像をそのまま表示手段に供給する切替手段と、を備えたものである。
【００１２】
これにより、記憶手段には少なくとも画像供給源から供給される画像を所定タイミングで表示するタイミングデータが記憶されていて、判別手段は画像供給源から供給される画像が要求するタイミングデータに基づいているか否かを判別する。
【００１３】
そして、判別手段により画像供給源から供給される画像が要求するタイミングデータに基づいていると判別されたとき、切替手段は画像変換手段による表示手段に対応する画像に変換処理を施すことなく、出力経路を切り替えて画像供給源から供給される画像をそのまま表示手段に供給する。
【００１４】
従って、記憶手段に記憶されているタイミングデータが、表示手段に対応する画像を表示するもっとも高いハイリフレッシュレートのタイミングデータであって、画像供給源に対してハイリフレッシュレートのタイミングを出力させるようにするためのプラグアンドプレイ用のタイミングデータであるとき、画像表示装置が画像供給源とケーブルにより電気的に接続されることにより、ハイリフレッシュレートのタイミングデータは画像供給源に供給される。
【００１５】
このとき、画像供給源から画像表示装置に供給されるハイリフレッシュレートの画像に対して変換処理を施さずにそのまま表示手段に出力することにより、画像表示装置側で特別なバッファメモリや補間回路を必要とせずに、表示手段においてハイリフレッシュレートの画像の表示をすることにより動画ボケは発生しない。
【００１６】
また、本発明の画像表示方法は、画像供給源が表示部を認識するステップと、画像供給源が表示部のメモリに記憶されている、画像供給源から供給される画像を要求する所定タイミングで表示するタイミングデータを読み出すステップと、画像供給源が要求された所定タイミングの画像を表示部に出力するステップと、画像供給源から供給される画像がタイミングデータに基づいているか否かを判別するステップと、画像供給源から供給される画像がタイミングデータに基づいていると判別されたとき、画像変換処理による表示部に対応する画像に変換処理を施すことなく、出力経路を切り替えて画像供給源から供給される画像をそのまま表示部に供給するステップとを含むものである。
【００１７】
これにより、まず、画像供給源が表示部を認識し、画像供給源が表示部のメモリに記憶されている、画像供給源から供給される画像を要求する所定タイミングで表示するタイミングデータを読み出し、画像供給源が要求された所定タイミングの画像を表示部に出力する。
【００１８】
そして、画像供給源から供給される画像が要求するタイミングデータに基づいているか否かを判別する。画像供給源から供給される画像が要求するタイミングデータに基づいていると判別されたとき、画像変換処理による表示部に対応する画像に変換処理を施すことなく、出力経路を切り替えて画像供給源から供給される画像をそのまま表示部に供給する。
【００１９】
従って、表示部のメモリに記憶されているタイミングデータが、表示部に対応する画像を表示するもっとも高いハイリフレッシュレートのタイミングデータであるとき、ハイリフレッシュレートのタイミングデータは画像供給源に供給される。
【００２０】
このとき、画像供給源から出力されたハイリフレッシュレートの画像を変換処理を施さずにそのまま表示部に出力することにより、表示部側で特別な計算処理を必要とせずに、表示部においてハイリフレッシュレートの画像の表示をすることにより動画ボケを改善することができる。
【発明の効果】
【００２１】
本発明によれば、画像表示装置側でバッファメモリや補間回路が必要ないため、コストをかけずにハイフレッシュレートによる動画ボケを改善したディスプレイを実現することができるという効果が得られる。
【００２２】
また、画像表示装置側でバッファメモリのデータ補間の計算処理が必要でないため、出画までの時間を短くすることができる。
また、画像表示装置から画像供給源に対して表示出力してほしい画像のタイミングデータを送ることにより、自動的にそのタイミングレートの画像が画像供給源から出力されるので、画像表示装置側でバッファメモリや補間回路が必要ない。
【発明を実施するための最良の形態】
【００２３】
以下、本発明の実施の形態を液晶ディスプレイに適用した例について、図面を用いて具体的に説明する。
図１は、本発明の実施の形態を適用した液晶ディスプレイ２と、画像供給源であるパーソナルコンピュータ１との接続の様子を示す図である。この液晶ディスプレイ２は、映像信号のデジタル伝送の規格であるＤＶＩ（Digital Visual Interface）に対応している。
【００２４】
パーソナルコンピュータ１も、同じくＤＶＩに対応している。液晶ディスプレイ２のＤＶＩコネクタをコンピュータ１のＤＶＩコネクタ（図示略）にＤＶＩケーブル３でつなぐことにより、液晶ディスプレイ２とコンピュータ１とが接続される。
ＤＶＩではＤＤＣの採用が必須となっており、ＤＶＩコネクタにもＥＤＩＤデータ送受信用のＤＤＣ端子が設けられている。
【００２５】
図２は、液晶ディスプレイ２内の回路のうち、本発明の実施の形態に関連する部分の構成例を示す図である。この液晶ディスプレイ２内には、ＥＤＩＤ対応不揮発性メモリとしては、ＥＤＩＤ対応ＥＥＰＲＯＭであるＥＤＩＤメモリ４が設けられている。ＥＤＩＤメモリ４には、予め製造段階で画像供給源であるコンピュータ１から供給される画像を所定タイミングで表示するためのタイミングデータを格納しておく。
【００２６】
例えば、ＥＤＩＤメモリ４には、ＬＣＤパネル１１に対するハイリフレッシュを要求するハイリフレッシュタイミングデータ１２として、解像度（１２８０ｘ１０２４）と、通常のリフレッシュレート周波数（６０Ｈｚ）よりも高いハイリフレッシュレート周波数（１００Ｈｚ）を推奨タイミングとして書き込んでおく。タイミングデータには、これ以外にシンク幅、フロントポーチやバックポーチなどのブランキングデータを含むものとする。
【００２７】
これにより、例えば、液晶ディスプレイ２に接続された画像供給源であるパーソナルコンピュータ１がこのハイリフレッシュタイミングデータ１２（解像度（１２８０ｘ１０２４）、ハイリフレッシュレート周波数（１００Ｈｚ））を読み込んで、ハイリフレッシュタイミングデータ１２で指定されたハイリフレッシュタイミング画像データ１３（解像度（１２８０ｘ１０２４）、ハイリフレッシュレート周波数（１００Ｈｚ））を出力する。
【００２８】
液晶ディスプレイ２内の画像データの周波数や解像度を画像変換部８により変換するスケーラー５には、判別スイッチ６及び出力スイッチ９が設けられている。判別スイッチ６及び出力スイッチ９は、それぞれ可動接点ａを、ＣＰＵ７の制御により、固定接点ｂ又は固定接点ｃのうちの一方に切り替えて接続させるためのものである。
【００２９】
液晶ディスプレイ２のＣＰＵ７がこの推奨のハイリフレッシュタイミング画像データ１３（解像度（１２８０ｘ１０２４）、ハイリフレッシュレート周波数（１００Ｈｚ））を受けたことを判別した場合、判別スイッチ６及び出力スイッチ９は、それぞれ可動接点ａを、ＣＰＵ７の制御により、固定接点ｂに切り替えて接続させる。
【００３０】
これにより、出力スイッチ９は、画像変換部８により周波数や解像度をスケーリングせずに、そのままハイリフレッシュタイミング画像データ１４（解像度（１２８０ｘ１０２４）、ハイリフレッシュレート周波数（１００Ｈｚ））を通過させ、ＬＣＤドライバー１０に供給する。
【００３１】
ＬＣＤドライバー１０は、ハイリフレッシュタイミング画像駆動信号１５（解像度（１２８０ｘ１０２４）、ハイリフレッシュレート周波数（１００Ｈｚ））をＬＣＤパネル１１に供給することにより、ＬＣＤパネル１１にそのままのハイリフレッシュタイミングで出画される。このとき、リフレッシュレートが通常より高いので補間は行なわれず、動画によるボケが生じない。
【００３２】
一方、パーソナルコンピュータ１が読み込んだハイリフレッシュタイミングデータ１２で指定された画像データに対応していないときには、通常フレッシュタイミングデータを出力する。液晶ディスプレイ２のＣＰＵ７が推奨しない通常リフレッシュタイミング画像データ（解像度（１０２４ｘ７６８）、通常リフレッシュレート周波数（６０Ｈｚ））を受けたことを判別した場合、判別スイッチ６及び出力スイッチ９は、それぞれ可動接点ａを、ＣＰＵ７の制御により、固定接点ｃに切り替えて接続させる。
【００３３】
これにより、出力スイッチ９は、画像変換部８により周波数や解像度をスケーリングした後に、液晶ディスプレイ２に適したリフレッシュタイミング画像データ（解像度（１２８０ｘ１０２４）、通常リフレッシュレート周波数（６０Ｈｚ））を、ＬＣＤドライバー１０に供給する。
【００３４】
ＬＣＤドライバー１０は、このリフレッシュタイミング画像駆動信号１５（解像度（１２８０ｘ１０２４）、通常リフレッシュレート周波数（６０Ｈｚ））をＬＣＤパネル１１に供給することにより、ＬＣＤパネル１１にこのリフレッシュタイミングで出画される。
【００３５】
図３は、他の液晶ディスプレイの構成例を示す図である。
図２に示した液晶ディスプレイ２は、スケーラー５内に、画像データの出力経路を切り替える判別スイッチ６及び出力スイッチ９と、画像データの出力経路の制御を行うＣＰＵ７とを設ける例を示したが、図３に示す他の液晶ディスプレイは、スケーラー２１外に、出力スイッチ２４と、画像データの出力経路の制御を行う判別回路２５とを設ける例を示すものである。この場合も、図２と同様に、液晶ディスプレイ内にＥＤＩＤメモリ４が設けられていて、前提として図２と同様の動作が行われるものとなる。
【００３６】
図３において、他の液晶ディスプレイの判別回路２５が上述した推奨のハイリフレッシュタイミング画像データ１３（解像度（１２８０ｘ１０２４）、ハイリフレッシュレート周波数（１００Ｈｚ））を受けたことを判別した場合、出力スイッチ２４は、可動接点ａを、判別回路２５の制御により、固定接点ｃに切り替えて接続させる。
【００３７】
これにより、出力スイッチ２４は、スケーラー２１により周波数や解像度をスケーリングせずに、アナログ画像信号入力時にはＡ／Ｄコンバーター２２でディジタル画像データに変換すると共にインターフェース変換部２３でＬＣＤドライバー１０に適合するようにディジタル画像データをパラレル出力に変換するだけで、そのままハイリフレッシュタイミング画像データ（解像度（１２８０ｘ１０２４）、ハイリフレッシュレート周波数（１００Ｈｚ））を通過させ、ＬＣＤドライバー１０に供給する。
【００３８】
一方、他の液晶ディスプレイの判別回路２５が推奨しないリフレッシュタイミング画像データ（解像度（１０２４ｘ７６８）、リフレッシュレート周波数（６０Ｈｚ））を受けたことを判別した場合、出力スイッチ２４は、それぞれ可動接点ａを、判別回路２５の制御により、固定接点ｂに切り替えて接続させる。
【００３９】
これにより、出力スイッチ２４は、スケーラー２１により周波数や解像度をスケーリングした後に、液晶ディスプレイに適したリフレッシュタイミング画像データ（解像度（１２８０ｘ１０２４）、通常リフレッシュレート周波数（６０Ｈｚ））を、ＬＣＤドライバー１０に供給する。
【００４０】
図４及び図５は、液晶ディスプレイ２とパーソナルコンピュータ１との間でのＥＤＩＤデータのやりとりにより、推奨のハイリフレッシュタイミング画像データを表示可能にするために主にＣＰＵ７が実行する処理を示すフローチャートである。この処理では、最初に、ＣＰＵ７は、パーソナルコンピュータ１がパワーオンにされたか否かを判断する（ステップＳ１）。
【００４１】
そして、判断ステップＳ１でパーソナルコンピュータ１がパワーオンにされたとき、ＣＰＵ７は、パーソナルコンピュータ１により液晶ディスプレイ２が認識されたか否かを判断する（ステップＳ２）。判断ステップＳ１でパーソナルコンピュータ１がパワーオンにされないとき、及びステップＳ２でパーソナルコンピュータ１により液晶ディスプレイ２が認識されないときは、この処理を終了する。
【００４２】
続いて、ステップＳ２でパーソナルコンピュータ１により液晶ディスプレイ２が認識されたとき、パーソナルコンピュータ１は液晶ディスプレイ２内のＥＤＩＤメモリ４に記憶されている推奨のハイリフレッシュタイミングを含む情報を読み出す。（ステップＳ３）。このときＣＰＵ７は、ステップＳ３で推奨のハイリフレッシュタイミングを含む情報が読み出されたことを認識する。
【００４３】
次に、パーソナルコンピュータ１は液晶ディスプレイ２に推奨のハイリフレッシュタイミングで要求された画像データを出力する（ステップＳ４）。
【００４４】
そして、ＣＰＵ７は、液晶ディスプレイ２に画像データが入力されたか否かを判断する（ステップＳ５）。判断ステップＳ５で画像データが入力されたとき、ＣＰＵ７は、画像データの入力タイミングを判別する処理をする（ステップＳ６）。
【００４５】
ここで、ＣＰＵ７は、画像データの入力タイミングが推奨のハイリフレッシュタイミングであるか否かを判断する（ステップＳ７）。判断ステップＳ７で推奨のハイリフレッシュタイミングであるとき、ＣＰＵ７は、スケーラーにより周波数や解像度をスケーリングせずに、そのままハイリフレッシュタイミング画像データ１４（解像度（１２８０ｘ１０２４）、ハイリフレッシュレート周波数（１００Ｈｚ））を通過させ、ＬＣＤドライバー１０に出力する（ステップＳ８）。
【００４６】
ＬＣＤドライバー１０は、ハイリフレッシュタイミング画像駆動信号１５（解像度（１２８０ｘ１０２４）、ハイリフレッシュレート周波数（１００Ｈｚ））をＬＣＤパネル１１に出力する（ステップＳ９）。
これにより、ＬＣＤパネル１１は推奨のハイリフレッシュタイミングで画像データを表示する（ステップＳ９）。
【００４７】
一方、判断ステップＳ７で推奨のハイリフレッシュタイミングでないとき、ＣＰＵ７は、スケーラーにより周波数や解像度をスケーリングして、液晶ディスプレイに適したリフレッシュタイミング画像データ（解像度（１２８０ｘ１０２４）、通常リフレッシュレート周波数（６０Ｈｚ））を、ＬＣＤドライバー１０に出力する（ステップＳ１１）。
【００４８】
ＬＣＤドライバー１０は、このリフレッシュタイミング画像駆動信号１５（解像度（１２８０ｘ１０２４）、リフレッシュレート周波数（６０Ｈｚ））をＬＣＤパネル１１に出力する（ステップＳ１２）。
これにより、ＬＣＤパネル１１はこのリフレッシュタイミングで画像データを表示する（ステップＳ１３）。
【００４９】
上述した実施の形態では、液晶ディスプレイ２とパーソナルコンピュータ１とをケーブル３で接続する例を示したが、これに限らず、図６に示すように、ＬＣＤパネル３２がパーソナルコンピュータ３１と一体となっている場合にも適用することができる。
【００５０】
図６は、他の実施の形態を適用したＬＣＤパネル一体型パーソナルコンピュータの例を示す図である。図６において、パーソナルコンピュータ３１は、画像供給源である本体３３とＬＣＤパネル３２とを有していて、ＬＣＤパネル３２は推奨のリフレッシュタイミングを記憶したリフレッシュタイミング記憶メモリ３４が設けられている。
【００５１】
図７は、ＬＣＤパネル一体型パーソナルコンピュータのリフレッシュタイミング生成系の構成を示すブロック図である。図７において、リフレッシュタイミング生成系では、ハイリフレッシュタイミング選択時に、リフレッシュタイミング記憶メモリ３４に記憶されている推奨のリフレッシュタイミングがハイリフレッシュタイミング選択表示部４１に供給される。リフレッシュタイミング生成系は例えば、ＬＣＤパネル３２側に設けられる。
【００５２】
そして、ハイリフレッシュタイミング選択表示部４１からハイリフレッシュタイミング選択表示信号がハイリフレッシュタイミング画像データ生成部４２に供給される。ハイリフレッシュタイミング画像データ生成部４２ではハイリフレッシュタイミング選択表示信号に基づいてハイリフレッシュタイミング画像データが生成される。
【００５３】
ハイリフレッシュタイミング画像データ生成部４２からハイリフレッシュタイミング画像データがＬＣＤドライバー４３に供給される。これにより、ＬＣＤドライバー４３からＬＣＤパネル３２にハイリフレッシュタイミング画像データ駆動信号が供給され、ＬＣＤパネル３２上にハイリフレッシュタイミング画像データが表示される。
【００５４】
一方、通常リフレッシュタイミング選択時に、リフレッシュタイミング記憶メモリ３４に記憶されている通常リフレッシュタイミングが通常リフレッシュタイミング選択表示部４４に供給される。
【００５５】
そして、通常リフレッシュタイミング選択表示部４４から通常リフレッシュタイミング選択表示信号が通常リフレッシュタイミング画像データ生成部４５に供給される。通常リフレッシュタイミング画像データ生成部４５では通常リフレッシュタイミング選択表示信号に基づいて通常リフレッシュタイミング画像データが生成される。
【００５６】
通常リフレッシュタイミング画像データ生成部４５から通常リフレッシュタイミング画像データがＬＣＤドライバー４３に供給される。これにより、ＬＣＤドライバー４３からＬＣＤパネル３２に通常リフレッシュタイミング画像データ駆動信号が供給され、ＬＣＤパネル３２上に通常リフレッシュタイミング画像データが表示される。
【００５７】
図１０は、ハイリフレッシュタイミング選択のメニュー画面を示す図である。図１０において、メニュー画面５１はＬＣＤパネル３２上に表示され、リフレッシュタイミング選択５２のメニュー表示メッセージに対して、ハイリフレッシュ５３のアイコンがマウスなどの入力操作により選択されたとき、上述したハイリフレッシュタイミング選択時となり、通常リフレッシュ５４のアイコンがマウスなどの入力操作により選択されたとき、上述した通常リフレッシュタイミング選択時となる。
【００５８】
図８及び図９は、ＬＣＤパネル３２と本体３３とにより、推奨のハイリフレッシュタイミング画像データを表示可能にするために主にリフレッシュタイミング生成系の図示しないＣＰＵが実行する処理を示すフローチャートである。この処理では、最初に、リフレッシュタイミング生成系の図示しないＣＰＵは、パーソナルコンピュータ３１がパワーオンにされたか否かを判断する（ステップＳ２１）。
【００５９】
そして、判断ステップＳ２１でパーソナルコンピュータ３１がパワーオンにされたとき、リフレッシュタイミング生成系のＣＰＵは、パーソナルコンピュータ３１の本体３３によりＬＣＤパネル３２が認識されたか否かを判断する（ステップＳ２２）。判断ステップＳ２１でパーソナルコンピュータ３１がパワーオンにされないとき、及びステップＳ２２でパーソナルコンピュータ３１の本体３３によりＬＣＤパネル３２が認識されないときは、この処理を終了する。
【００６０】
続いて、ステップＳ２２でパーソナルコンピュータ３１の本体３３によりＬＣＤパネル３２が認識されたとき、パーソナルコンピュータ３１はＬＣＤパネル３２にメニュー画面５１を表示する（ステップＳ２３）。
リフレッシュタイミング生成系のＣＰＵは、メニュー画面において、ハイリフレッシュタイミングが選択されたか否かを判断する（ステップＳ２４）。
【００６１】
判断ステップＳ２４で、ハイリフレッシュタイミングが選択されたとき、パーソナルコンピュータ３１はＬＣＤパネル３２内のリフレッシュタイミング記憶メモリ３４に記憶されている推奨のハイリフレッシュタイミングを含む情報を読み出す（ステップＳ２５）。
次に、パーソナルコンピュータ３１はＬＣＤパネル３２に推奨のハイリフレッシュタイミングで要求された画像データを出力する（ステップＳ２６）。
【００６２】
一方、判断ステップＳ２４で、通常リフレッシュタイミングが選択されたとき、パーソナルコンピュータ３１はＬＣＤパネル３２内のリフレッシュタイミング記憶メモリ３４に記憶されている通常リフレッシュタイミングを含む情報を読み出す（ステップＳ２７）。
次に、パーソナルコンピュータ３１はＬＣＤパネル３２に通常リフレッシュタイミングで画像データを出力する（ステップＳ２８）。
【００６３】
そして、リフレッシュタイミング生成系のＣＰＵは、ＬＣＤパネル３２に画像データが入力されたか否かを判断する（ステップＳ２９）。判断ステップＳ２９で画像データが入力されたとき、リフレッシュタイミング生成系のＣＰＵは、メニュー画面で選択されたリフレッシュタイミングを判別する処理をする（ステップＳ３０）。
【００６４】
ここで、リフレッシュタイミング生成系のＣＰＵは、メニュー画面で選択されたリフレッシュタイミングが推奨のハイリフレッシュタイミングであるか否かを判断する（ステップＳ３１）。判断ステップＳ３１で推奨のハイリフレッシュタイミングであるとき、リフレッシュタイミング生成系のＣＰＵは、ハイリフレッシュタイミング画像データ生成部４２により生成されたハイリフレッシュタイミング画像データをＬＣＤドライバー４３に出力する（ステップＳ３２）。
【００６５】
ＬＣＤドライバー４３は、ハイリフレッシュタイミング画像駆動信号をＬＣＤパネル３２に出力する（ステップＳ３３）。
これにより、ＬＣＤパネル３２は推奨のハイリフレッシュタイミングで画像データを表示する（ステップＳ９）。
【００６６】
一方、判断ステップＳ３１で推奨のハイリフレッシュタイミングでないとき、リフレッシュタイミング生成系のＣＰＵは、通常リフレッシュタイミング画像データ生成部４５により生成された通常リフレッシュタイミング画像データをＬＣＤドライバー４３に出力する（ステップＳ３５）。
【００６７】
ＬＣＤドライバー４３は、通常リフレッシュタイミング画像駆動信号をＬＣＤパネル３２に出力する（ステップＳ３６）。
これにより、ＬＣＤパネル３２は通常リフレッシュタイミングで画像データを表示する（ステップＳ３７）。
【００６８】
また、上述した本実施の形態による液晶ディスプレイを、ＬＣＤパネルを早く立ち上げるためのオーバードライブ回路や、ＬＣＤパネルのバックライトをリフレッシュの途中で消えるようにするブリンキングバックライトなど他の動画によるボケの改善機能と併用することによってさらなる効果をあげることができる。
【００６９】
また、本発明は、以上の例に限らず、本発明の要旨を逸脱することなく、その他様々の構成をとりうることはもちろんである。
【図面の簡単な説明】
【００７０】
【図１】本発明の実施の形態を適用した液晶ディスプレイとパーソナルコンピュータとの接続の様子を示す図である。
【図２】液晶ディスプレイの構成例を示すブロック図である。
【図３】他の液晶ディスプレイの構成例を示すブロック図である。
【図４】ハイリフレッシュタイミング画像データを表示する処理を示すフローチャートである。
【図５】ハイリフレッシュタイミング画像データを表示する処理を示すフローチャートである。
【図６】他の実施の形態を適用したＬＣＤパネル一体型パーソナルコンピュータの例を示す図である。
【図７】ＬＣＤパネル一体型パーソナルコンピュータのリフレッシュタイミング生成系の構成を示すブロック図である。
【図８】他のハイリフレッシュタイミング画像データを表示する処理を示すフローチャートである。
【図９】他のハイリフレッシュタイミング画像データを表示する処理を示すフローチャートである。
【図１０】ハイリフレッシュタイミング選択のメニュー画面を示す図である。
【符号の説明】
【００７１】
１…パーソナルコンピュータ、２…液晶ディスプレイ、３…ケーブル、４…ＥＤＩＤメモリ、５…スケーラー、６…判別スイッチ、７…ＣＰＵ、８…画像変換部、９…出力スイッチ、１０…ＬＣＤドライバー、１１…ＬＣＤパネル、１２…ハイリフレッシュタイミングデータ、１３…ハイリフレッシュタイミング画像データ、３１…パーソナルコンピュータ、３２…ＬＣＤパネル、３３…本体、３４…リフレッシュタイミング記憶メモリ、４１…ハイリフレッシュタイミング選択表示部、４２…ハイリフレッシュタイミング画像データ生成部、４３…ＬＣＤドライバー、４４…通常リフレッシュタイミング選択表示部、４５…通常リフレッシュタイミング画像データ生成部、５１…メニュー画面、５２…リフレッシュタイミング選択、５３…ハイリフレッシュ、５４…通常リフレッシュ
【図１】
2007272200.tif 000003
【図２】
2007272200.tif 000004
【図３】
2007272200.tif 000005
【図４】
2007272200.tif 000006
【図５】
2007272200.tif 000007
【図６】
2007272200.tif 000008
【図７】
2007272200.tif 000009
【図８】
2007272200.tif 000010
【図９】
2007272200.tif 000011
【図１０】
2007272200.tif 000012